【事件の表示】
　特願２００１−３４３９６１「遊技機、遊技機用プログラム、
及び遊技機用プログラムを記録したコンピュータ読み取り可能な記録媒体」拒絶査定不服審判事件〔平成１５年５月２０日出願公開、
特開２００３−１４４６１７〕について、次のとおり審決する。
【結　論】
　本件審判の請求は、成り立たない。
【理　由】
【手続の経緯】
　本願は、平成１３年１１月９日の出願であって、手続きの概要は、次のとおりである。
　平成１５年　２月２４日　　：審査請求
　平成１９年　４月　９日起案：最初の拒絶理由通知
　平成１９年　５月３０日　　：手続補正書、意見書提出
　平成１９年　７月　６日起案：最後の拒絶理由通知
　平成１９年　９月　５日　　：手続補正書、意見書提出
　平成１９年１０月３０日起案：補正却下（平成１９年９月５日手続補正）
　　　　　　　　　　　　　　　拒絶査定
　平成１９年１２月１０日　　：審判請求
　平成２０年　１月　８日　　：手続補正書、審判請求理由補充書提出
　平成２０年　４月　４日起案：前置報告
　平成２１年　３月　９日起案：前置審尋（審判請求人からの回答無し）
　
【平成２０年１月８日付けの手続補正についての補正の却下の決定】
【補正の却下の決定の結論】
　平成２０年１月８日付けの手続補正（以下、「本件補正」という。）を却下する。
　
【補正の却下の決定の理由】
【本件補正の内容】
　本件補正は、本願の願書に最初に添付した明細書又は図面（以下、本願出願当初の明細書等という）に関し、平成１９年５月３０日付け手続補正による明細書全文に差し替えて、さらに、明細書全文を補正するものである。
　
　本願出願当初の特許請求の範囲は、次のとおりである。
【特許請求の範囲】（本願出願当初）
【請求項１】
　周囲に複数の図柄を表示した回転リールと、
　乱数を用いて当選図柄の抽選を行うための当選抽選手段と、
　前記当選抽選手段の抽選結果に対応した前記回転リールの回転の停止制御を行うとともに、前記当選抽選手段の抽選結果、所定の当選役に当選し、遊技状況が予め定められた所定の態様になることにより入賞となるようにした遊技制御手段と、
　前記当選抽選手段の当選抽選結果に関する情報を報知可能な当選報知装置とを少なくとも備えた遊技機において、
  遊技として、通常遊技と、所定の当選図柄の前記当選抽選手段の当選抽選結果に関する情報を前記当選報知装置により報知するアシストタイム遊技とを少なくとも備え、
  前記遊技機は、
　前記アシストタイム遊技の実行の可否を抽選により決定するためのアシストタイム抽選手段と、
  前記アシストタイム抽選手段の抽選結果を保持するための抽選結果保持手段と、
　前記抽選結果保持手段に保持させた抽選結果に基づいて、前記アシストタイム抽選手段の抽選の契機とは別の契機に遊技状態をアシストタイム遊技へ移行するための遊技移行手段とを少なくとも備えていることを特徴とする遊技機。
【請求項２】
　前記遊技機は、前記抽選結果保持手段に保持させた抽選結果を報知するためのアシスト抽選結果報知装置を備えたことを特徴とする請求項１記載の遊技機。
【請求項３】
　遊技として、通常遊技と、特定の入賞或いは抽選結果に基づいて開始する特別遊技とを少なくとも備え、
  前記アシストタイム抽選手段によりアシストタイム遊技の当選となり、且つ前記抽選結果保持手段により、その当選結果が保持されている場合、
　前記遊技移行手段は、前記当選抽選手段の抽選結果として当選した特別遊技中に、前記アシストタイム遊技を実行することを特徴とする請求項１又は請求項２に記載の遊技機。
【請求項４】
　遊技として、通常遊技と、特定の入賞或いは抽選結果に基づいて開始する特別遊技とを少なくとも備え、
  前記アシストタイム抽選手段によりアシストタイム遊技の当選となり、且つ前記抽選結果保持手段により、その当選結果が保持されている場合、
　前記遊技移行手段は、前記当選抽選手段の抽選結果として当選した特別遊技の終了後の通常遊技の所定の遊技回数範囲中に、前記アシストタイム遊技を実行することを特徴とする請求項１又は請求項２に記載の遊技機。
【請求項５】
　前記抽選結果保持手段は、
　前記アシストタイム抽選手段の抽選結果、当選することにより前記アシストタイム遊技の当選回数を加算するとともに、前記アシストタイム遊技の実行により当該当選回数を減算して、残りの当選回数をカウントするための当選回数カウント手段と、
　前記当選回数カウント手段がカウントした当選回数を複数の遊技にわたって累積的に記憶可能な当選回数記憶手段とを備えたことを特徴とする請求項１乃至４のいずれか１項に記載の遊技機。
【請求項６】
  前記アシストタイム抽選手段は、通常遊技中に、前記アシストタイム遊技の実行の可否の抽選を行うことを特徴とする請求項１乃至５のいずれか１項に記載の遊技機。
【請求項７】
　遊技として、通常遊技と、特定の入賞或いは抽選結果に基づいて開始する特別遊技とを少なくとも備え、
　前記アシストタイム抽選手段は、前記当選抽選手段の抽選結果として当選した特別遊技中に、前記アシストタイム遊技の実行の可否の抽選を行うことを特徴とする請求項１乃至５のいずれか１項に記載の遊技機。
【請求項８】
　遊技機を、
　複数の図柄を変動表示又は停止表示させるための図柄表示手段、
　乱数を用いて当選図柄の抽選を行うための当選抽選手段、
　前記当選抽選手段の抽選結果に対応した前記図柄表示手段の停止制御を行うとともに、前記当選抽選手段の抽選結果、所定の当選役に当選し、遊技状況が予め定められた所定の態様になることにより入賞となるようにした遊技制御手段、
　前記当選抽選手段の当選抽選結果に関する情報を報知可能な当選報知手段、
　所定の当選図柄の前記当選抽選手段の当選抽選結果に関する情報を前記当選報知手段により報知するアシストタイム遊技の実行の可否を抽選により決定するためのアシストタイム抽選手段、
  前記アシストタイム抽選手段の抽選結果を保持するための抽選結果保持手段、及び、
　前記抽選結果保持手段に保持させた抽選結果に基づいて、前記アシストタイム抽選手段の抽選の契機とは別の契機に遊技状態をアシストタイム遊技へ移行するための遊技移行手段として機能させるための遊技機用プログラム。
【請求項９】
　遊技機を、
　複数の図柄を変動表示又は停止表示させるための図柄表示手段、
　乱数を用いて当選図柄の抽選を行うための当選抽選手段、
　前記当選抽選手段の抽選結果に対応した前記図柄表示手段の停止制御を行うとともに、前記当選抽選手段の抽選結果、所定の当選役に当選し、遊技状況が予め定められた所定の態様になることにより入賞となるようにした遊技制御手段、
　前記当選抽選手段の当選抽選結果に関する情報を報知可能な当選報知手段、
　所定の当選図柄の前記当選抽選手段の当選抽選結果に関する情報を前記当選報知手段により報知するアシストタイム遊技の実行の可否を抽選により決定するためのアシストタイム抽選手段、
  前記アシストタイム抽選手段の抽選結果を保持するための抽選結果保持手段、及び、
　前記抽選結果保持手段に保持させた抽選結果に基づいて、前記アシストタイム抽選手段の抽選の契機とは別の契機に遊技状態をアシストタイム遊技へ移行するための遊技移行手段として機能させるための遊技機用プログラムを記録したコンピュータ読み取り可能な記録媒体。
　
　本件補正後の特許請求の範囲は、次のとおりである。
【特許請求の範囲】（本件補正後）
【請求項１】
　周囲に複数の図柄を表示した回転リールと、
　乱数を用いて当選図柄の抽選を行うための当選抽選手段と、
　前記当選抽選手段の抽選結果に対応した前記回転リールの回転の停止制御を行うとともに、前記当選抽選手段の抽選結果、所定の当選役に当選し、遊技状況が予め定められた所定の態様になることにより入賞となるようにした遊技制御手段と、
　前記当選抽選手段の当選抽選結果に関する情報を報知可能な当選報知装置とを少なくとも備えた遊技機において、
　遊技として、通常遊技と、所定の当選図柄の前記当選抽選手段の当選抽選結果に関する情報を前記当選報知装置により報知するアシストタイム遊技とを少なくとも備え、
　前記遊技機は、
　前記アシストタイム遊技の実行の可否を抽選により決定するためのアシストタイム抽選手段と、
　前記アシストタイム抽選手段の抽選結果を保持するための抽選結果保持手段と、
　前記抽選結果保持手段に保持させた抽選結果に基づいて、前記アシストタイム抽選手段の抽選の契機とは別の契機に遊技状態をアシストタイム遊技へ移行するための遊技移行手段とを少なくとも備え、
　遊技として、通常遊技と、特定の入賞或いは抽選結果に基づいて開始する特別遊技とを少なくとも備え、
　前記アシストタイム抽選手段は、通常遊技中に、前記アシストタイム遊技の実行の可否の抽選を行い、
　前記通常遊技中の前記アシストタイム抽選手段の抽選により、アシストタイム遊技の当選となり、且つ前記抽選結果保持手段により、その当選結果が保持されている場合、
　前記遊技移行手段は、前記当選抽選手段の抽選結果として当選した特別遊技中に、前記アシストタイム遊技を実行し、
　前記アシストタイム抽選手段は、前記当選抽選手段の抽選結果として当選した特別遊技中に、前記アシストタイム遊技の実行の可否の抽選を行い、
　前記特別遊技中の前記アシストタイム抽選手段の抽選によりアシストタイム遊技の当選となり、且つ前記抽選結果保持手段により、その当選結果が保持されている場合、
　前記遊技移行手段は、前記当選抽選手段の抽選結果として当選した特別遊技の終了後の通常遊技の所定の遊技回数範囲中に、前記アシストタイム遊技を実行することを特徴とする遊技機。
【請求項２】
　前記遊技機は、前記抽選結果保持手段に保持させた抽選結果を報知するためのアシスト抽選結果報知装置を備えたことを特徴とする請求項１記載の遊技機。
【請求項３】
　前記抽選結果保持手段は、
　前記アシストタイム抽選手段の抽選結果、当選することにより前記アシストタイム遊技の当選回数を加算するとともに、前記アシストタイム遊技の実行により当該当選回数を減算して、残りの当選回数をカウントするための当選回数カウント手段と、
　前記当選回数カウント手段がカウントした当選回数を複数の遊技にわたって累積的に記憶可能な当選回数記憶手段とを備えたことを特徴とする請求項１又は請求項２に記載の遊技機。
【請求項４】
　遊技機を、
　複数の図柄を変動表示又は停止表示させるための図柄表示手段、
　乱数を用いて当選図柄の抽選を行うための当選抽選手段、
　前記当選抽選手段の抽選結果に対応した前記図柄表示手段の停止制御を行うとともに、
前記当選抽選手段の抽選結果、所定の当選役に当選し、遊技状況が予め定められた所定の態様になることにより入賞となるようにした遊技制御手段、
　前記当選抽選手段の当選抽選結果に関する情報を報知可能な当選報知手段、
　所定の当選図柄の前記当選抽選手段の当選抽選結果に関する情報を前記当選報知手段により報知するアシストタイム遊技の実行の可否を抽選により決定するためのアシストタイム抽選手段、
前記アシストタイム抽選手段の抽選結果を保持するための抽選結果保持手段、及び、
　前記抽選結果保持手段に保持させた抽選結果に基づいて、前記アシストタイム抽選手段の抽選の契機とは別の契機に遊技状態をアシストタイム遊技へ移行するための遊技移行手段として機能させるための遊技機用プログラムであって、
　遊技として、通常遊技と、特定の入賞或いは抽選結果に基づいて開始する特別遊技とを少なくとも備え、
　前記アシストタイム抽選手段は、通常遊技中に、前記アシストタイム遊技の実行の可否の抽選を行い、
　前記通常遊技中の前記アシストタイム抽選手段の抽選により、アシストタイム遊技の当選となり、且つ前記抽選結果保持手段により、その当選結果が保持されている場合、
　前記遊技移行手段は、前記当選抽選手段の抽選結果として当選した特別遊技中に、前記アシストタイム遊技を実行し、
　前記アシストタイム抽選手段は、前記当選抽選手段の抽選結果として当選した特別遊技中に、前記アシストタイム遊技の実行の可否の抽選を行い、
　前記特別遊技中の前記アシストタイム抽選手段の抽選によりアシストタイム遊技の当選となり、且つ前記抽選結果保持手段により、その当選結果が保持されている場合、
　前記遊技移行手段は、前記当選抽選手段の抽選結果として当選した特別遊技の終了後の通常遊技の所定の遊技回数範囲中に、前記アシストタイム遊技を実行するための遊技機用プログラム。
【請求項５】
　遊技機を、
　複数の図柄を変動表示又は停止表示させるための図柄表示手段、
　乱数を用いて当選図柄の抽選を行うための当選抽選手段、
　前記当選抽選手段の抽選結果に対応した前記図柄表示手段の停止制御を行うとともに、
前記当選抽選手段の抽選結果、所定の当選役に当選し、遊技状況が予め定められた所定の態様になることにより入賞となるようにした遊技制御手段、
　前記当選抽選手段の当選抽選結果に関する情報を報知可能な当選報知手段、
　所定の当選図柄の前記当選抽選手段の当選抽選結果に関する情報を前記当選報知手段により報知するアシストタイム遊技の実行の可否を抽選により決定するためのアシストタイム抽選手段、
　前記アシストタイム抽選手段の抽選結果を保持するための抽選結果保持手段、及び、
　前記抽選結果保持手段に保持させた抽選結果に基づいて、前記アシストタイム抽選手段の抽選の契機とは別の契機に遊技状態をアシストタイム遊技へ移行するための遊技移行手段として機能させるための遊技機用プログラムを記録したコンピュータ読み取り可能な記録媒体であって、
　遊技として、通常遊技と、特定の入賞或いは抽選結果に基づいて開始する特別遊技とを少なくとも備え、
　前記アシストタイム抽選手段は、通常遊技中に、前記アシストタイム遊技の実行の可否の抽選を行い、
　前記通常遊技中の前記アシストタイム抽選手段の抽選により、アシストタイム遊技の当選となり、且つ前記抽選結果保持手段により、その当選結果が保持されている場合、
　前記遊技移行手段は、前記当選抽選手段の抽選結果として当選した特別遊技中に、前記アシストタイム遊技を実行し、
　前記アシストタイム抽選手段は、前記当選抽選手段の抽選結果として当選した特別遊技中に、前記アシストタイム遊技の実行の可否の抽選を行い、
　前記特別遊技中の前記アシストタイム抽選手段の抽選によりアシストタイム遊技の当選となり、且つ前記抽選結果保持手段により、その当選結果が保持されている場合、
　前記遊技移行手段は、前記当選抽選手段の抽選結果として当選した特別遊技の終了後の通常遊技の所定の遊技回数範囲中に、前記アシストタイム遊技を実行するための遊技機用プログラムを記録したコンピュータ読み取り可能な記録媒体。
　
　また、上記本件補正により、明細書の段落【０１５９】は、（第二の実施の形態）に関し、以下のように、補正された。
【０１５９】（本願出願当初の明細書）
「・・・
（第二の実施の形態）
  第一の実施の形態では、通常遊技中にアシストタイム抽選手段１２０によるアシストタイム遊技への移行抽選を行い、ＢＢゲーム中にアシストタイム遊技を実行していたが、本実施の形態では、ＢＢゲーム中にアシストタイム抽選手段１２０によるアシストタイム遊技への移行抽選を行い、ＢＢゲーム終了後の通常遊技中にアシストタイム遊技を実行するものである。」
　
【０１５９】（本件補正後）
「・・・
（第二の実施の形態）
　第一の実施の形態では、通常遊技中にアシストタイム抽選手段１２０によるアシストタイム遊技への移行抽選を行い、ＢＢゲーム中にアシストタイム遊技を実行していたが、本実施の形態では、更に、それに加えて、ＢＢゲーム中にもアシストタイム抽選手段１２０によるアシストタイム遊技への移行抽選を行い、ＢＢゲーム終了後の通常遊技中にアシストタイム遊技を実行するものである。」
　
【新規事項の追加についての当審の判断】
　上記本件補正後の請求項１の記載内容と、平成１９年５月３０日付け補正後の請求項１の記載内容には変わりはない。しかし、上記本願出願当初の請求項１と、上記本件補正後の請求項１とを比較すると、上記本件補正後の請求項１には、上記本願出願当初の請求項１には限定されていない、次の技術的事項が含まれている。
　
「前記アシストタイム抽選手段は、通常遊技中に、前記アシストタイム遊技の実行の可否の抽選を行い、
　前記通常遊技中の前記アシストタイム抽選手段の抽選により、アシストタイム遊技の当選となり、且つ前記抽選結果保持手段により、その当選結果が保持されている場合、
　前記遊技移行手段は、前記当選抽選手段の抽選結果として当選した特別遊技中に、前記アシストタイム遊技を実行し、
　前記アシストタイム抽選手段は、前記当選抽選手段の抽選結果として当選した特別遊技中に、前記アシストタイム遊技の実行の可否の抽選を行い、
　前記特別遊技中の前記アシストタイム抽選手段の抽選によりアシストタイム遊技の当選となり、且つ前記抽選結果保持手段により、その当選結果が保持されている場合、
　前記遊技移行手段は、前記当選抽選手段の抽選結果として当選した特別遊技の終了後の通常遊技の所定の遊技回数範囲中に、前記アシストタイム遊技を実行すること」
（以下、「本件補正事項」という）
　
【本願出願当初の特許請求の範囲から観た検討】
　本願出願当初の特許請求の範囲の請求項１及び３を引用する請求項６の発明から、
（アシストタイム抽選手段は、通常遊技中に、アシストタイム遊技の実行の可否の抽選を行い、
　通常遊技中のアシストタイム抽選手段の抽選により、アシストタイム遊技の当選となり、且つ抽選結果保持手段により、その当選結果が保持されている場合、
　遊技移行手段は、当選抽選手段の抽選結果として当選した特別遊技中に、アシストタイム遊技を実行）するもの（上記請求項６に係る発明概念）、
　そして、本願出願当初の特許請求の範囲の請求項１及び４を引用する請求項７の発明から、
（アシストタイム抽選手段は、当選抽選手段の抽選結果として当選した特別遊技中に、アシストタイム遊技の実行の可否の抽選を行い、
　特別遊技中のアシストタイム抽選手段の抽選によりアシストタイム遊技の当選となり、且つ抽選結果保持手段により、その当選結果が保持されている場合、
　遊技移行手段は、当選抽選手段の抽選結果として当選した特別遊技の終了後の通常遊技の所定の遊技回数範囲中に、アシストタイム遊技を実行）するもの（上記請求項７に係る発明概念）は、
　本願出願当初より、特許請求の範囲に、本願発明として、各々、記載されていたことは明らかである。
　
　しかし、上記本願出願当初の請求項３及び４が、請求項１又は２を引用する形式で並存していること、同じく、請求項６及び７が、請求項１〜５を引用する形式で並存していることから観て、上記請求項６に係る発明概念と上記請求項７に係る発明概念とは、互いに独立して並存する別異の発明概念であって、上記両発明概念を併せた発明概念については、本願出願当初の特許請求の範囲に記載されていたものではない。
　そうすると、上記本件補正事項は、本願出願当初の特許請求の範囲に、互いに独立して並存する二つの発明概念として記載されていたものを併せて、新たな発明概念として、特許請求の範囲に記載するものと判断せざるを得ない。
　
【本願出願当初の明細書等に開示された実施例から観た検討】
　本願出願当初の明細書の段落【０１５９】に、
「・・・
（第二の実施の形態）
  第一の実施の形態では、通常遊技中にアシストタイム抽選手段１２０によるアシストタイム遊技への移行抽選を行い、ＢＢゲーム中にアシストタイム遊技を実行していたが、本実施の形態では、ＢＢゲーム中にアシストタイム抽選手段１２０によるアシストタイム遊技への移行抽選を行い、ＢＢゲーム終了後の通常遊技中にアシストタイム遊技を実行するものである。」
と記載されているように、
　本願出願当初の明細書等の何れの箇所にも、上記（第一の実施の形態）及び（第二の実施の形態）を併せて一つの実施形態とすることは、記載も示唆もされていないし、本願出願当初の明細書等の記載から自明ともいえない。
　換言すると、本願出願当初の明細書等から観て、アシストタイムの抽選契機とアシストタイム遊技の移行契機とを別にすることが、本願発明の大概念であって、本願発明の下位概念的具体例としての、アシストタイムの抽選を通常遊技中とし、アシストタイム遊技の移行を特別遊技中とする例と、アシストタイムの抽選を特別遊技中とし、アシストタイム遊技の移行を特別遊技終了後の通常遊技中とする例とは、並列的で互いに独立した技術として開示されているに止まる。
　してみると、上記本件補正事項は、本願出願当初の明細書等に、互いに独立して並存する二つの実施の形態として技術開示されたものを併せて、発明概念を再構築し、特許請求の範囲に記載するものと判断せざるを得ない。
　
【本件審判請求人の主張する上記本件補正事項についての補正根拠の検討】
　上記本件補正事項は、平成１９年５月３０日付け手続補正書、平成１９年９月５日付け手続補正書、及び平成２０年１月８日付け手続補正書の何れにおいても、請求項１に記載された技術的事項として含まれており、本件審判請求人は、上記三つの手続補正書と各々同日に提出された、二つの意見書、及び審判請求理由補充書にて、上記本件補正事項に関連した補正の根拠を述べているので、以下、検討する。
　
【平成１９年５月３０日付け意見書に記載された補正根拠について】
　審判請求人は、上記意見書にて、次のように主張する。
「（２）特許請求の範囲の補正の根拠の明示
　上述しました請求項１の補正文の「前記アシストタイム抽選手段は、通常遊技中に、前記アシストタイム遊技の実行の可否の抽選を行い、」の下線部の記載は、出願当初の特許請求の範囲の請求項６であって、出願当初の明細書の段落番号「００３７」の第２文に記載されているものです。
　そして、上述しました請求項１の補正文の「遊技として、通常遊技と、特定の入賞或いは抽選結果に基づいて開始する特別遊技とを少なくとも備え、」と、「前記通常遊技中の前記アシストタイム抽選手段の抽選により、アシストタイム遊技の当選となり、且つ前記抽選結果保持手段により、その当選結果が保持されている場合、前記遊技移行手段は、前記当選抽選手段の抽選結果として当選した特別遊技中に、前記アシストタイム遊技を実行し、」の下線部の記載は、出願当初の特許請求の範囲の請求項３であって、出願当初の明細書の段落番号「００２６」及び「００２７」に記載されているもです。更に、上記補正文のうちの「前記通常遊技中の前記アシストタイム抽選手段の抽選により、」とあるのは、出願当初の明細書の段落番号「０１０４」の第１文「上記アシストタイム抽選手段１２０は、通常遊技中に、アシストタイム遊技の実行の可否を抽選により決定するためのものである。」に記載されているものです。
　そして、上述しました請求項１の補正文の「前記アシストタイム抽選手段は、前記当選抽選手段の抽選結果として当選した特別遊技中に、前記アシストタイム遊技の実行の可否の抽選を行い、」の下線部の記載は、出願当初の特許請求の範囲の請求項７であって、出願当初の明細書の段落番号「００３９」の第２文に記載されているものです。
　そして、上述しました請求項１の補正文の「前記特別遊技中の前記アシストタイム抽選手段の抽選によりアシストタイム遊技の当選となり、且つ前記抽選結果保持手段により、その当選結果が保持されている場合、前記遊技移行手段は、前記当選抽選手段の抽選結果として当選した特別遊技の終了後の通常遊技の所定の遊技回数範囲中に、前記アシストタイム遊技を実行する」の下線部の記載は、出願当初の特許請求の範囲の請求項４であって、出願当初の明細書の段落番号「００３１」に記載されているもです。更に、上記補正文のうちの「前記特別遊技中の前記アシストタイム抽選手段の抽選により」とあるのは、出願当初の明細書の段落番号「０１６０」の第１文及び第２文に記載されているものです。
　また、上述しました補正は、出願当初の明細書の段落番号「０１５９」の第２文にも記載されているものです。
・・・
　したがいまして、特許請求の範囲の請求項の記載は、出願当初の明細書及び図面の記載から自明な事項であり、願書に最初に添付した明細書または図面に記載した事項の範囲内であることは明らかなものです。」
　
（出願当初の特許請求の範囲の【請求項６】）
【請求項６】
  前記アシストタイム抽選手段は、通常遊技中に、前記アシストタイム遊技の実行の可否の抽選を行うことを特徴とする請求項１乃至５のいずれか１項に記載の遊技機。
　
（出願当初の明細書の段落【００３７】の第２文）
【００３７】
　・・・
　すなわち、前記アシストタイム抽選手段（１２０）は、通常遊技中に、前記アシストタイム遊技の実行の可否の抽選を行うことを特徴とする。
　
（出願当初の特許請求の範囲の【請求項３】）
【請求項３】
　遊技として、通常遊技と、特定の入賞或いは抽選結果に基づいて開始する特別遊技とを少なくとも備え、
　前記アシストタイム抽選手段によりアシストタイム遊技の当選となり、且つ前記抽選結果保持手段により、その当選結果が保持されている場合、
　前記遊技移行手段は、前記当選抽選手段の抽選結果として当選した特別遊技中に、前記アシストタイム遊技を実行することを特徴とする請求項１又は請求項２に記載の遊技機。
　
（出願当初の明細書の段落【００２６】【００２７】）
【００２６】
（請求項３）
　請求項３記載の発明は、上記した請求項１又は請求項２記載の発明の特徴点に加え、次の点を特徴とする。
　すなわち、遊技として、通常遊技と、特定の入賞或いは抽選結果に基づいて開始する特別遊技とを少なくとも備えている。
【００２７】
　そして、前記アシストタイム抽選手段（１２０）によりアシストタイム遊技の当選となり、且つ前記抽選結果保持手段（１３０）により、その当選結果が保持されている場合、前記遊技移行手段（１６０）は、前記当選抽選手段（１１０）の抽選結果として当選した特別遊技中に、前記アシストタイム遊技を実行することを特徴とする。
  なお、ここで、「特別遊技」とは、特定の入賞或いは抽選結果に基づいて開始するものであって、具体的には、例えば、いわゆるＢＢゲームや、ＲＢゲーム等を含むものである。
　
（出願当初の明細書の段落番号【０１０４】の第１文）
【０１０４】
（アシストタイム抽選手段１２０）
　上記アシストタイム抽選手段１２０は、通常遊技中に、アシストタイム遊技の実行の可否を抽選により決定するためのものである。・・・
　
（出願当初の特許請求の範囲の【請求項７】）
【請求項７】
　遊技として、通常遊技と、特定の入賞或いは抽選結果に基づいて開始する特別遊技とを少なくとも備え、
　前記アシストタイム抽選手段は、前記当選抽選手段の抽選結果として当選した特別遊技中に、前記アシストタイム遊技の実行の可否の抽選を行うことを特徴とする請求項１乃至５のいずれか１項に記載の遊技機。
　
（出願当初の明細書の段落【００３９】の第２文）
【００３９】
　・・・
　そして、前記アシストタイム抽選手段（１２０）は、前記当選抽選手段（１１０）の抽選結果として当選した特別遊技中に、前記アシストタイム遊技の実行の可否の抽選を行うことを特徴とする。
　
（出願当初の特許請求の範囲の【請求項４】）
【請求項４】
　遊技として、通常遊技と、特定の入賞或いは抽選結果に基づいて開始する特別遊技とを少なくとも備え、
  前記アシストタイム抽選手段によりアシストタイム遊技の当選となり、且つ前記抽選結果保持手段により、その当選結果が保持されている場合、
　前記遊技移行手段は、前記当選抽選手段の抽選結果として当選した特別遊技の終了後の通常遊技の所定の遊技回数範囲中に、前記アシストタイム遊技を実行することを特徴とする請求項１又は請求項２に記載の遊技機。
　
（出願当初の明細書の段落【００３１】）
【００３１】
  そして、前記アシストタイム抽選手段（１２０）によりアシストタイム遊技の当選となり、且つ前記抽選結果保持手段（１３０）により、その当選結果が保持されている場合、前記遊技移行手段（１６０）は、前記当選抽選手段（１１０）の抽選結果として当選した特別遊技の終了後の通常遊技の所定の遊技回数範囲中に、前記アシストタイム遊技を実行することを特徴とする。
　
（出願当初の明細書の段落【０１６０】の第１文及び第２文）
【０１６０】
　具体的には、本実施の形態は、アシストタイム抽選手段１２０は、当選抽選手段１１０の抽選結果として当選したＢＢゲーム中に、アシストタイム遊技の実行の可否の抽選を行うものである。具体的には、アシストタイム抽選手段１２０は、ＢＢゲームの小役遊技中の毎回、アシストタイム遊技の実行可否の乱数を用いた抽選を行うものである。・・・
　
（出願当初の明細書の段落【０１５９】の第２文）
【０１５９】
  ・・・
（第二の実施の形態）
  第一の実施の形態では、通常遊技中にアシストタイム抽選手段１２０によるアシストタイム遊技への移行抽選を行い、ＢＢゲーム中にアシストタイム遊技を実行していたが、本実施の形態では、ＢＢゲーム中にアシストタイム抽選手段１２０によるアシストタイム遊技への移行抽選を行い、ＢＢゲーム終了後の通常遊技中にアシストタイム遊技を実行するものである。
　
【上記平成１９年５月３０日付け意見書に記載された補正根拠についての
　　　　　　　　　　　　　　　　　　　　　　　　　　　　当審の見解】
　上記意見書の補正根拠は、要約すると、上記本願出願当初の請求項１を引用する請求項３を、さらに引用する請求項６に係る発明、及び、上記本願出願当初の請求項１を引用する請求項４を、さらに引用する請求項７に係る発明、そして、それら二つの発明を、各々、実施可能に開示する本願出願当初の（第一の実施の形態）及び（第二の実施の形態）に関する記載である。
　そうすると、前記【本願出願当初の特許請求の範囲から観た検討】及び【本願出願当初の明細書等に開示された実施例から観た検討】で述べたように、上記請求項６に係る発明概念と上記請求項７に係る発明概念とは、互いに独立して並存する別異の発明概念であって、上記両発明概念を併せた発明概念については、本願出願当初の特許請求の範囲に記載されていたものではないし、また、上記両発明概念をサポートする二つの実施の形態も、互いに独立して並存する別異の実施の形態として技術開示されたものであって、上記両実施形態を併せてたものは開示されていないから、上記本件補正事項の補正根拠としては、妥当なものとはいえない。
　
【平成１９年９月５日付け意見書に記載された補正根拠について】
　審判請求人は、上記意見書にて、次のように主張する。
「（２）発明の実施の形態の補正の根拠の明示
　上述しました補正後の明細書の段落番号「０１５９」及び「０１６０」の下線部の記載は、出願当初の明細書の段落番号「０１６２」の「なお、その他の構成や、作用や、効果は、第一の実施の形態と同様であるため、説明を省略する。」に記載されているものです。
　すなわち、第一の実施の形態となる「通常遊技中にアシストタイム抽選手段１２０によるアシストタイム遊技への移行抽選を行い、ＢＢゲーム（特別遊技）の成立に基づいてＢＢゲーム（特別遊技）中にアシストタイム遊技を実行する」内容の説明は、上述しました段落番号「０１６２」の「その他の構成や、作用や、効果は、第一の実施の形態と同様であるため、説明を省略する。」に記載されていますように、第二の実施の形態では、省略されているものであります。
　それは、第二の実施の形態で説明した「アシストタイム抽選手段１２０」は、第一の実施の形態で説明した「アシストタイム抽選手段１２０」と同一の符号「１２０」を付与して説明していることからも、第二の実施の形態の「アシストタイム抽選手段１２０」が、第一の実施の形態で説明した「通常遊技中のアシストタイム抽選手段によるアシストタイム遊技への移行抽選」の内容を有していることは明らかであり、更に、それに加えて、第二の実施の形態では、「ＢＢゲーム中のアシストタイム抽選手段によるアシストタイム遊技への移行抽選」の内容を有しているものであります。
　したがいまして、明細書の詳細な説明の「発明の実施の形態」の欄の記載は、出願当初の明細書及び図面の記載から自明な事項であり、願書に最初に添付した明細書または図面に記載した事項の範囲内であることは明らかなものです。」
　
【上記平成１９年９月５日付け意見書に記載された補正根拠についての
　　　　　　　　　　　　　　　　　　　　　　　　　　　当審の見解】
  上記補正根拠は、直接的には、発明の実施の形態の補正に関するものではあるが、請求項１の前記本件補正事項にも関連するものである。
　本願出願当初の明細書等に開示された第二の実施の形態におけるアシストタイム抽選手段１２０は、ＢＢゲーム中にアシストタイム抽選によるアシストタイム遊技への移行抽選を行い、その当選は、ＢＢゲーム終了後の通常遊技中にアシストタイム遊技を実行させる契機となるものである。そして、この第二の実施の形態に関し、本願出願当初の明細書の段落【０１５９】の後半、段落【０１６０】【０１６１】には、アシストタイムの抽選とアシストタイム遊技の移行・実行に関して記載されているから、段落【０１６２】の記載「その他の構成や、作用や、効果は、第一の実施の形態と同様であるため、説明を省略する。」の「その他の構成」は、アシストタイムの抽選とアシストタイム遊技の移行・実行に関する構成以外のものと解する方が寧ろ自然である。そうすると、第二の実施の形態におけるアシストタイム抽選手段１２０が、第一の実施の形態におけるアシストタイム抽選手段１２０のような、通常遊技中にアシストタイム移行抽選を行い、その当選が、ＢＢゲーム中にアシストタイム遊技を移行・実行させる契機となる機能も併せ持つと解釈することには無理がある。
　よって、上記補正根拠は、発明の第二の実施の形態の補正の根拠に成らないだけでなく、請求項１の前記本件補正事項の補正の根拠にも成りようがない。
　
【平成２０年１月８日付け
　　　　　　　　　　審判請求理由補充書に記載された補正根拠について】
　審判請求人は、上記審判請求理由補充書にて、次のように主張する。
「（２）特許請求の範囲の補正の根拠の明示
　上述しました補正後の明細書の段落番号「０１５９」及び「０１６０」の下線部の記載の根拠は、出願当初の明細書の以下の箇所に記載されているものです。
　（ａ）出願当初の明細書の段落番号「００２２」に、請求項１の説明として「本発明は、具体的には、例えば、ＢＢゲームに当選していないにも拘わらず、アシストタイム遊技の抽選だけが、行われて、アシストタイム遊技に当選しているような場合であって、かかる場合には、次のＢＢゲームに移行したときに、当該ＢＢゲームは、アシストタイム遊技となることがＢＢゲームに当選する前から決定することができるようなものを含むものである。」と請求項１に対する記載がありますとともに、
　（ｂ１）出願当初の明細書の段落番号「０１７０」に「請求項７記載の発明によれば、上記した請求項１乃至５のいずれか１項に記載の発明の効果に加え、次のような効果を奏する。すなわち、請求項７記載の発明によれば、特別遊技中に、アシストタイム抽選手段によるアシストタイム遊技の実行の可否の抽選を行うことができるようにした遊技機を提供することができる。」と請求項１に加える記載があります。
　（ｂ２）或いは、出願当初の明細書の段落番号「００３８」及び「００３９」に、「請求項７記載の発明は、上記した請求項１乃至５のいずれか１項に記載の発明の特徴点に加え、次の点を特徴とする。すなわち、遊技として、通常遊技と、特定の入賞或いは抽選結果に基づいて開始する特別遊技とを少なくとも備えている。そして、前記アシストタイム抽選手段（１２０）は、前記当選抽選手段（１１０）の抽選結果として当選した特別遊技中に、前記アシストタイム遊技の実行の可否の抽選を行うことを特徴とする。」と請求項１に加える記載があります。
　なお、上述の記載で「特別遊技」とは、ＢＢゲーム等を含むものであります（出願当初の明細書の段落番号「００２７」参照）。
　上述しました（ａ）に記載されてますようなＢＢゲーム前にアシストタイム遊技への移行抽選だけを行い、ＢＢゲームに移行したときにＢＢゲーム中はアシストタイム遊技となり得る請求項１の内容に、上述しました（ｂ１）又は（ｂ２）に記載されてますようなＢＢゲーム（特別遊技）中にアシストタイム遊技への移行抽選を行う内容が加えられているものであります。すなわち、ＢＢゲーム前のアシストタイム遊技への移行抽選（第１の実施の形態）に、ＢＢゲーム中のアシストタイム遊技への移行抽選（第２の実施の形態）の内容が加えられています。これは、ＢＢゲーム前のアシストタイム遊技への移行抽選（第１の実施の形態）の内容と、ＢＢゲーム中のアシストタイム遊技への移行抽選（第２の実施の形態）の内容とが同時に実施され得ることを意味するものであります。また、第１の実施の形態で説明した構成と、第２の実施の形態で説明した構成との両者を兼ね備えたものでも良いことを意味するものであります。
　
　更に、上述した記載に加えまして、第二の実施の形態で説明した「アシストタイム抽選手段１２０」は、第一の実施の形態で説明した「アシストタイム抽選手段１２０」と同一の符号「１２０」を付与して説明しています。これは、第二の実施の形態の「アシストタイム抽選手段１２０」が、第一の実施の形態で説明した「ＢＢゲーム前のアシストタイム遊技への移行抽選」の内容に加えて、第二の実施の形態で説明した「ＢＢゲーム中のアシストタイム遊技への移行抽選」の内容を有し得ることを示唆しているものであります。
　
　また、出願当初の明細書の段落番号「０１６２」の「なお、その他の構成や、作用や、効果は、第一の実施の形態と同様であるため、説明を省略する。」の記載からも、第一の実施の形態となるＢＢゲーム前のアシストタイム遊技への移行抽選の内容は、第二の実施の形態では、省略され得ることを示唆しているものであります。
　
　また、出願当初の明細書の段落番号「０００５」の請求項１の課題において、「アシストタイム遊技に移行可能な期待感だけを、実際の実行と分離させて先に取得することができ、遊技の多様性を増して、遊技を面白いものにすることができる」の記載から、アシストタイム遊技に移行可能な期待感だけを、（多様性を増して）いろいろと種類の違ったものに増やせることを示唆していると解釈することができるものであります。
　
　上述しました記載により、ＢＢゲーム前のアシストタイム遊技への移行抽選（第１の実施の形態）の内容と、ＢＢゲーム中のアシストタイム遊技への移行抽選（第２の実施の形態）の内容とが同時に実施され得ることは、明らかに出願当初の明細書に記載されているものであり、第１の実施の形態で説明した構成と、第２の実施の形態で説明した構成との両者を兼ね備えたものでも良いことは、出願当初明細書に記載した事項の範囲内であります。
　
　したがいまして、明細書の詳細な説明の「発明の実施の形態」の欄の記載は、出願当初の明細書及び図面の記載から自明な事項であり、願書に最初に添付した明細書または図面に記載した事項の範囲内であることは明らかなものです。」
　
【平成２０年１月８日付け審判請求理由補充書に記載された補正根拠
　　　　　　　　　　　　　　　　　　　　　　　についての当審の見解】
　上記補正根拠は、特許請求の範囲と第二の実施の形態とに関連し、請求項１における前記本件補正事項についてのものである。
　上記補正根拠のうち、上記（ａ）（ｂ１）（ｂ２）に関連する主張以外の主張は、既述のとおり、前記本件補正事項についての明確な補正根拠と成り得ない。よって、ここでは、上記（ａ）（ｂ１）（ｂ２）に関連する主張が、前記本件補正事項について、補正根拠と成り得るか検討する。
　上記の主張（ａ）に関し、本願出願当初の明細書の段落【００２２】には、請求項１の発明の特徴点の一つとして、ＢＢゲーム移行前のゲームで、アシストタイム遊技の抽選だけが行われて、次にＢＢゲームに移行したときに、アシストタイム遊技となることが、ＢＢゲームに当選する前に決定可能であるものも含むことは、確かに記載されている。しかし、本願出願当初の明細書の段落【００１６】〜【００２３】に、請求項１の発明の課題を解決するための手段としての特徴点及び作用に関し記載されているように、それらの段落の全体的な文脈は、アシストタイム抽選の契機とアシストタイム遊技の移行契機とを別にすることを上位概念としてとらえるもので、上記段落【００２２】の具体例は、前記上位概念から考えられる多様な下位概念の一つを、例示したものでしかない。
　一方、上記の主張（ｂ１）（ｂ２）に関し、本願出願当初の明細書の段落【００３８】【００３９】【０１７０】には、請求項７の発明の特徴点として、請求項１の発明に加えて、ＢＢゲーム（特別遊技）中にアシストタイム遊技への移行抽選を行うことは、確かに記載されている。しかし、これらの段落の文脈は、本願出願当初の明細書の請求項１の発明に関する箇所の文脈と関連させて解釈すべきであるから、アシストタイム抽選の契機とアシストタイム遊技の移行契機とを別にすることを上位概念としてとらえる請求項１の発明の下位概念的な具体例として、ＢＢゲーム（特別遊技）中にアシストタイム遊技への移行抽選を行う請求項７の発明が存すると解される。
　そうすると、上記主張（ａ）（ｂ１）（ｂ２）に関し、本願出願当初の明細書の段落【００２２】【００３８】【００３９】【０１７０】等を総合的に考慮したとしても、本願出願当初の請求項１の発明は、アシストタイム抽選の契機とアシストタイム遊技の移行契機とを別にすることを上位概念としてとらえたものであるから、本願出願当初の明細書の段落【００２２】に記載された請求項１の発明の下位概念的な例示の一つと、同じく、本願出願当初の請求項１の発明の下位概念的な請求項７の発明とは、互いに独立に並存するものとして開示されたと解するのが自然であって、両者同時に併せたものは、出願当初の明細書等に記載も示唆もされていないし、その開示範囲から自明でもないと判断せざるを得ない。
　よって、前記本件補正事項が、本願出願当初の明細書等の開示範囲内であると判断することはできない。
　
【新規事項の追加についての当審の見解のまとめ】
　本件審判請求人の、審判請求理由補充書、及び二つの意見書における、上記本件補正事項について補正の根拠は、上記検討のとおり、何れも合理的根拠に成らない。
　結局、本願出願当初の明細書等の何れの箇所を観ても、上記本件補正事項が、記載されていたとも、示唆されていたとも、自明であるともいえない。そうすると、上記本件補正は、明細書の中に新たな技術的事項を導入するものであるから、新規事項を追加するものであるといわなければならない。
　したがって、上記本件補正は、本願出願当初の明細書等に記載された事項の範囲内においてされたものではないから、特許法第１７条の２第３項の規定に違反している。
　
【補正の却下の決定のむすび】
　以上のとおり、上記本件補正は、平成１４年法律第２４号改正附則第３条第１項により、なお従前の例によるとされる同法による改正前の特許法第１７条の２第３項の規定に違反するので、同法第１５９条第１項において読み替えて準用する同法第５３条第１項の規定により却下すべきものである。
　
【当審の審理の対象となる手続補正】
　上記したように、本件補正は却下すべきものであり、さらに、平成１９年９月５日付け手続補正は、原審において補正却下されている。
　よって、当審は、審理の対象として、平成１９年５月３０日付け手続補正を検討する。
　平成１９年５月３０日付け手続補正は、明細書全文を補正するものであって、請求項１の記載は、次のとおりである。
　
【平成１９年５月３０日付け手続補正後の請求項１】
「周囲に複数の図柄を表示した回転リールと、
　乱数を用いて当選図柄の抽選を行うための当選抽選手段と、
　前記当選抽選手段の抽選結果に対応した前記回転リールの回転の停止制御を行うとともに、前記当選抽選手段の抽選結果、所定の当選役に当選し、遊技状況が予め定められた所定の態様になることにより入賞となるようにした遊技制御手段と、
　前記当選抽選手段の当選抽選結果に関する情報を報知可能な当選報知装置とを少なくとも備えた遊技機において、
　遊技として、通常遊技と、所定の当選図柄の前記当選抽選手段の当選抽選結果に関する情報を前記当選報知装置により報知するアシストタイム遊技とを少なくとも備え、
　前記遊技機は、
　前記アシストタイム遊技の実行の可否を抽選により決定するためのアシストタイム抽選手段と、
　前記アシストタイム抽選手段の抽選結果を保持するための抽選結果保持手段と、
　前記抽選結果保持手段に保持させた抽選結果に基づいて、前記アシストタイム抽選手段の抽選の契機とは別の契機に遊技状態をアシストタイム遊技へ移行するための遊技移行手段とを少なくとも備え、
　遊技として、通常遊技と、特定の入賞或いは抽選結果に基づいて開始する特別遊技とを少なくとも備え、
　前記アシストタイム抽選手段は、通常遊技中に、前記アシストタイム遊技の実行の可否の抽選を行い、
　前記通常遊技中の前記アシストタイム抽選手段の抽選により、アシストタイム遊技の当選となり、且つ前記抽選結果保持手段により、その当選結果が保持されている場合、
　前記遊技移行手段は、前記当選抽選手段の抽選結果として当選した特別遊技中に、前記アシストタイム遊技を実行し、
　前記アシストタイム抽選手段は、前記当選抽選手段の抽選結果として当選した特別遊技中に、前記アシストタイム遊技の実行の可否の抽選を行い、
　前記特別遊技中の前記アシストタイム抽選手段の抽選によりアシストタイム遊技の当選となり、且つ前記抽選結果保持手段により、その当選結果が保持されている場合、
　前記遊技移行手段は、前記当選抽選手段の抽選結果として当選した特別遊技の終了後の通常遊技の所定の遊技回数範囲中に、前記アシストタイム遊技を実行することを特徴とする遊技機。」
　
【平成１９年５月３０日付け手続補正に対する原審の拒絶理由】
　原審の最後の拒絶理由通知に記載された拒絶理由の概要は、平成１９年５月３０日付けでした手続補正は、本願出願当初の明細書等に記載された範囲内でなされたものではないから、特許法第１７条の２第３項に規定する要件を満たしていないというものである。
　
【平成１９年５月３０日付け手続補正に対する
　　　　　　　　　　　　　　　当審の新規事項の追加についての判断】
　平成１９年５月３０日付け手続補正により、請求項１には、次の技術的事項が含まれている。
「前記アシストタイム抽選手段は、通常遊技中に、前記アシストタイム遊技の実行の可否の抽選を行い、
　前記通常遊技中の前記アシストタイム抽選手段の抽選により、アシストタイム遊技の当選となり、且つ前記抽選結果保持手段により、その当選結果が保持されている場合、
　前記遊技移行手段は、前記当選抽選手段の抽選結果として当選した特別遊技中に、前記アシストタイム遊技を実行し、
　前記アシストタイム抽選手段は、前記当選抽選手段の抽選結果として当選した特別遊技中に、前記アシストタイム遊技の実行の可否の抽選を行い、
　前記特別遊技中の前記アシストタイム抽選手段の抽選によりアシストタイム遊技の当選となり、且つ前記抽選結果保持手段により、その当選結果が保持されている場合、
　前記遊技移行手段は、前記当選抽選手段の抽選結果として当選した特別遊技の終了後の通常遊技の所定の遊技回数範囲中に、前記アシストタイム遊技を実行すること」
　
　この技術的事項は、上記の本件補正事項と同じものであって、本願出願当初の明細書等に記載されていたとも、自明であるともいえないことは、既述のとおりである。
　そうすると、平成１９年５月３０日付け手続補正は、明細書の中に新たな技術的事項を導入するものであるから、新規事項を追加するものであるといわなければならない。
　したがって、平成１９年５月３０日付け手続補正は、本願出願当初の明細書等に記載された事項の範囲内でなされたものではないから、特許法第１７条の２第３項の規定に違反しており、本願は、原審の拒絶査定の理由、即ち、平成１９年７月６日起案の最後の拒絶理由通知に記載された理由により、拒絶されるべきものである。
　
　よって、結論のとおり審決する。